(57)【要約】      （修正有）【課題】導入コストの軽減が期待でき、利用者、事業者双方にとって利益のある行動予定掲示板システムを提供する。【解決手段】従来の掲示板と内容を表現するプレートなどの利用方法はそのままに、表面に定義内容を記載、裏面に機械認識できる識別コードを記載したプレートを掲示板裏面より一括撮影し、この撮影画像をデータ解析することにより利用者の識別、定義内容の読み取りを行う。掲示板正面からでは利用者自身によって遮られる画像も裏面からの撮影においては問題なくプレートの配置エリア全面の画像が得られるため、撮影周期を短く設定することで利用者がプレートを置く順番なども読取り解析が可能となる。また取得した画像はインターネットなどで遠隔地にも送信可能なため、解析処理を行う拠点は管理者のいる本部などにおいての処理集約も可能である。【選択図】図１
2015069632.tif 000002
【特許請求の範囲】
【請求項１】
行動予定表などに貼り付けられた作業構成員、会員などの行動予定をプレート裏面に印字されたバーコードなどの識別コードを透過性のある裏面側から一括で読取り、参加会員などの読取りを行うと共に、行動予定の各プレートの位置情報から時間、場所ごとの参加内容を容易に電子化できることを特徴とするシステム構成およびプログラム。
【請求項２】
請求項１と同様の機能を持つ行動予定掲示板が複数ある状況において、作業内容専用の掲示板と作業に参加する構成員の掲示板というように異なる掲示内容を階層化し、管理者側のプロジェクト予定表にその階層状態のまま多元的に情報を集約することを特徴とするシステム構成およびプログラム。
【請求項３】
また請求項１、請求項２の会員情報の収集を行いたい提供サービス事業者が複数個所存在するとき、裏面から撮影した画像情報をインターネットなどを経由し一元収集し、画像情報からデータ解析への変換を行い、変換結果を各サービス事業者に提供することを特徴とするビジネスモデル。
【発明の詳細な説明】
【技術分野】
【０００１】この発明は、従来からある行動予定掲示板の利便性やＩＴリテラシの低い高齢者などへの使いやすさはそのままに、貼り付けるプレート裏面に記載された識別コードをボード裏面から一括読み取りし、電子化することを容易とするサービスの提供、
上記を行うためのシステム構成およびプログラムに関する。
【背景技術】
【０００２】工事現場や職場内などにおいては業務に当たる人員、作業内容を一元的に管理するため、構成員をプレートなどに印字し貼り付け、時系列や場所ごとに行う作業内容を同様に各人が掲示板に貼り付けていく行動予定表が広く用いられている。
【発明の開示】
【発明が解決しようとする課題】
【０００３】しかしながら、以上の技術によれば、その場での閲覧性には優れているものの、ＰＣに各人の作業予定を記録したり、遠隔地において情報を知りたい場合などには電話連絡でその場にいるスタッフに確認するなど対応の労力が大きかった。また行動履歴を一元管理するために初めからＰＣでの電子化入力を前提としたグループ管理のソフトウェアがあるが、入力にはある程度のＩＴリテラシが必要であったり、屋外作業環境などの場合、ＰＣの利用そのものが難しいなどの問題が生じていた。
そこで、この発明は、行動予定表の入力容易性、閲覧性はそのままに構成員の作業内容情報を電子化し、時系列に沿った形で一括収集し、管理者側で電子的に確認可能にすることを課題とする。
【課題を解決するための手段】
【０００４】以上の課題を解決するために、第一発明は、利用している貼り付けプレートの機能を損なわず、閲覧掲示板も通常通り利用できることを前提とした上で、異なる識別番号をプレート裏面に印字することを特徴とする貼り付けプレートの構造設計にある。
また、第二発明は、掲示板に用いられるプレート貼り付け部分の材質を透過性のある材質とすることで、利用者が意識していない識別コード面を裏面から一括撮影可能としたことを特徴とする掲示板筐体の構造設計にある。
また、第三発明は撮影画像内に点在する識別コードに撮影画像から得られたピクセル値を基に座標情報を割り出すことで、利用者の識別コードと同段に置かれたプレートを自動的に認識し、識別コードから紐付けられる作業内容を時系列にサーバに格納することを特徴とする情報機器上で稼働するシステムにある。
また、第四発明は、契約を結んだサービス提供者が、画像の撮影から識別コードの解析までを行うのではなく画像情報段階のデータをインターネットなどで解析を行う事業者に渡し、解析結果情報を契約者に返信することでシステムコストをかけず従来の掲示板方式を利用できることを特徴とするビジネスモデルにある。
【発明の効果】
【０００５】第一発明によれば、掲示板に予定を設定する利用者は従来のものと何の違和感もなくプレートを置いていくことが可能であり、理解できない識別コードはプレートの裏面に印字されているため、予定記載内容が表面に大きく書かれたプレートを使用する事が可能である。
また第二発明によりボードを表面から見たときは従来どおりの閲覧性機能をもち、裏面から一括撮影するためいつでも情報の取り込みが可能である。表面から撮影、スキャンする場合と異なり、利用者の入力終了を待つ必要もなく、撮影画像に入力途中の利用者が映りこむことも無いため信頼性の高い情報取り込みが可能で、撮影周期を短くすることで入力終了時でなく入力途中のデータも取り込み可能なため、利用者の置くプレートの配置順番なども知ることが可能となり利用希望の優先度などを知ることも可能となる。
また第三発明により裏面からの撮影環境が変わらないため、撮影画像内のピクセル数と掲示板の縦横比率、プレート配置列の各プレートが配置されるエリアとそのエリアピクセル座標はいつも同一となる。
１次バーコードのように識別コード内に座標情報を持たないものでも、掲示板上の何処にプレートが設置されたかを特定することが可能となるため、多様な種類の識別コードが利用可能となる。
また第四発明によりこの掲示板設置を希望する事業者が、高額な画像解析ソフトを導入しなくとも、画像のみを解析センターに送り、解析結果だけを得ることが可能となる。施設内に掲示板を複数箇所設置する場合なども各掲示板は画像を転送するだけでよい。
【発明を実施するための最良の形態】
【０００６】この発明の一実施形態を、図１、図２に示す。
掲示板で行動予定を設定する利用者は、従来どおりの方法で掲示板に自身の名前のプレート、時間帯に応じた作業内容などをプレートに書かれた内容を確認しつつ貼り付けていく。
この時使用される各プレートにの裏面にはプレート内容をコード化したバーコードなどの識別コードが印字されており、貼り付ける掲示板を透過性とすることで裏面側から識別コードが読み取れる形となっている。
また、図２のように掲示板の筐体内部には掲示板のプレート設置エリア全体を撮影可能な視野角をもつカメラが内蔵されており、ボード裏面側から張り付けられたプレート裏面の識別コードを一定周期で一括自動撮影できることが可能となっている。
掲示板利用者が自身の名前のプレートなどを置き、時系列に沿って作業内容のプレートを置いていく時、ボードの裏面からは画像内部のある高さの処に会員識別コードが置かれ、同一高さの横列位置に内容を指し示す識別コードが並んでいくことになる。これを一定周期で撮影し、同一高さをもつエリアの識別コードとしてサーバに渡すことで作業内容情報を電子化する。
電子化したデータはグループウェアやプロジェクト管理ソフトなどに容易に取り込めるため、遠隔地にいる管理者が現時点情報を知ることが可能になる。
【実施形態の効果】
【０００７】この実施形態によれば、掲示板利用者は従来どおりの方法で作業を行うだけでよく、内容の記録を行う場合もおかれたプレートをスキャンするなどの専従者も必要ない。
またスキャンを行うために利用者のプレート設置終了を待つ時間も不要で応対時間短縮できるため、利用者側、事業者側双方にメリットがある。
【他の実施形態】
【０００８】図１の実施形態では、掲示板利用者の行動予定を時系列的に取り込むのみだが、工程管理などの場合、作業工程名を掲示板Ａで定義し、作業詳細や、作業参加者を掲示板Ｂで定義し、これらの情報を同時に取り込むことで、工程管理上の管理階層化を階層状態のまま視覚的に確認しやすい形のまま電子化することが可能になる。また作業参加者の変更や工程着手時刻の遅延などへの対応もプレートの置き換えのみで対応できるためＰＣなど利用できない現場やＩＴリテラシの低い方でも容易に変更可能となる。
【図面の簡単な説明】
【０００９】
【図１】この発明の一実施形態を示すものである。掲示板利用者は（１）のような従来型掲示板により、行動予定を定義する。（２）にあるようにプレートを置くエリアの材質を透過性のあるものに変更し、利用していただく。この時使用するプレートは、表面が（３）のように、氏名や作業内容が記載されており、裏面には（４）のように内容を表す認識コードが記載されている。利用者がプレートを貼り終えたとき、掲示板正面からは（５）のように作業内容が並んでいる形となり、従来型の行動予定をあらわす掲示板と同様の視覚確認が可能である。このとき掲示板裏面から置かれているプレート列を見たときは（６）の様となり、カメラ撮影側からは認識コードが確認できる形の撮影画像を取得できる。
【図２】掲示板を裏面から撮影可能とするための筐体の想定図である。移設可能な掲示板とするためには図２のような掲示板を組み込んだ筐体形状となるが、施設建物壁面にプレートを並べるような運用の場合は透過性のある壁面にプレートを貼り付け、背面側からカメラで撮影するような場合でも同様の結果が得られる。
【符号の説明】
【００１０】    １  利用者が従来使用していた掲示板。利用者自身の体に遮られ予定は見えない。
２  プレートを置くエリアを透過性のある材質に変更した場合の掲示板正面。
３  プレート表面、内容が記載されている。
４  プレート裏面、表面の内容をコード化した識別コードが記載されている。
５  並べたプレートを掲示板正対方向から見たときの様子。
６  掲示板裏面撮影側カメラから（５）を撮影したときに得られる画像の想定。
７  掲示板裏面から撮影を行うための筐体構造の一例の側面図。
【図１】
2015069632.tif 000003
【図２】
2015069632.tif 000004